(57)【要約】【課題】  口金の中心軸線と反射鏡及び電球の中心軸線の不一致を抑制可能なランプを提供する。【解決手段】  ランプ11は、口金12、反射鏡21、電球31、接着剤25、及び少なくとも３個のセンタリング凸部17を具備する。口金12は、一端が開口された大径部13aの他端に小径部13bを設けた口金ハウジング13を有する。反射鏡21は、凹面状の反射面22aを有した反射面部22と、これに連続し大径部13aの内側に挿入されたネック部23を備える。口金12に電気的に接続して反射鏡21に収容される電球31をネック部23に支持し、大径部13aとネック部23をこれらの間に設けた接着剤25で接着する。各センタリング凸部17を、大径部13aとネック部23のうちの一方に周方向に互に離れてかつ他方に向けて突設する。各センタリング凸部17の先端を前記他方に接触若しくは近接させて、口金12と反射鏡21及び電球31とのセンター合わせしたことを特徴としている。【選択図】図２
2012174406.tif 000002
【特許請求の範囲】
【請求項１】
一端が開口された大径部の他端に小径部が一体に設けられた口金ハウジングを有した口金と；
凹面状の反射面を有した反射面部、及びこの反射面部に連続して設けられ前記大径部の内側に挿入されたネック部を備える反射鏡と；
前記ネック部内に接着止めされて前記反射鏡に収容されるとともに前記口金に電気的に接続された電球と；
前記大径部と前記ネック部との間に設けられてこれらを接着した接着剤と；
前記大径部と前記ネック部のうちの一方に周方向に互に離れてかつ他方に向けて突設されるとともに前記他方に接触若しくは近接して、前記口金の大径部と前記反射鏡のネック部とのセンター合わせを担う少なくとも３個のセンタリング凸部を有するセンタリング手段と；
を具備することを特徴とするランプ。
【請求項２】
複数の前記センタリング凸部が前記大径部及び前記ネック部の中心軸線と平行であり、これらセンタリング凸部の長手方向一端が前記大径部の前記一端開口の付近に達しているとともに、長手方向他端が前記口金の大径部と小径部との間の中継部に達しており、隣接した前記センタリング凸部間でかつ前記大径部の一端部に注入口が形成されていて、この注入口を互の間に設けて隣接した前記センタリング凸部間に前記接着剤が充填されていることを特徴とする請求項１に記載のランプ。
【請求項３】
前記大径部の内周に係合凸部が突設され、この係合凸部が係合する係合溝が前記ネック部に設けられており、前記係合溝が、一端を前記ネック部の端面に開放して前記ネック部の中心軸線と平行でかつ前記係合凸部が通過可能な溝部と、この溝部の他端に折れ曲がるように連続されて前記係合凸部に引っ掛かる引掛け溝部を有して形成されていることを特徴とする請求項１又は２に記載のランプ。
【請求項４】
前記センタリング凸部が前記大径部の内周に突設されており、これらセンタリング凸部と同数のセンタリング溝が、前記センタリング凸部と同じ配置で、かつ、前記ネック部の端面に開放して前記ネック部に設けられており、これらセンタリング溝に前記センタリング凸部が挿入されていることを特徴とする請求項１に記載のランプ。
【請求項５】
器具本体と；
この器具本体に配設された請求項１から４のうちのいずれか一項に記載のランプと；
を具備していることを特徴とする照明器具。
【発明の詳細な説明】
【技術分野】
【０００１】
本発明の実施形態は、反射鏡付きのランプ、及びこのランプを備える照明器具に関する。
【背景技術】
【０００２】
無口金形のハロゲン電球と、この電球の一端部に接続された口金と、ハロゲン電球を収容して口金に接着された反射鏡を組み合わせた構成のランプが、従来技術として知られている。
【０００３】
このランプにおいて、口金は口金シェルを支持した磁器製ハウジングを備え、このハウジングは口金と反対側の端が開口された大径部を有している。反射鏡は、凹面状の反射面とネック部が一体に形成された凹面反射鏡であり、そのネック部は、口金が有した大径部の内側に挿入されている。ネック部と大径部とはこれらの間に存在するセメント製の接着剤により接着されている。更に、ハロゲン電球は、ハウジングの大径部の内側に挿入されかつ接着剤により接着されている。
【０００４】
ハウジングの大径部内への反射鏡のネック部の挿入を容易にする上で、大径部とネック部との間に比較的大きな隙間が確保されていて、そこに接着剤が設けられている。このため、製造上、未硬化の接着剤が固化するまでの間に、口金のハウジングの大径部に対し反射鏡のネック部が動く可能性があり、この状態で電球が反射鏡のネック部の内周に接着されると、口金の中心軸線と反射鏡及び電球の中心軸線とが不一致になる。
【０００５】
このように口金の中心軸線と反射鏡及び電球の中心軸線とが不一致であると、電球のフィラメント等の発光源の中心軸線が口金の中心軸線からずれた状態となるため、所定の配光特性及び中心光度を確保することができない場合がある。
【先行技術文献】
【特許文献】
【０００６】
【特許文献１】特開平９−１８５９５８号公報
【特許文献２】特開平１１−４０１１１号公報
【特許文献３】特開２００２−２９８６３７号公報
【発明の概要】
【発明が解決しようとする課題】
【０００７】
実施形態は、口金の中心軸線と反射鏡及び電球の中心軸線の不一致を抑制可能なランプ及びこのランプを備えた高品質な照明器具を提供することにある。
【課題を解決するための手段】
【０００８】
前記課題を解決するために、実施形態のランプは、口金、反射鏡、電球、接着剤、及び少なくとも３個のセンタリング凸部を具備する。口金は、一端が開口された大径部の他端に小径部を設けた口金ハウジングを有する。反射鏡は、凹面状の反射面を有した反射面部、及びこれに連続して設けられて大径部の内側に挿入されたネック部を備える。口金に電気的に接続する電球を、ネック部内に接着止めして反射鏡に収容し、接着剤を大径部とネック部との間に設けてこれらを接着する。各センタリング凸部を、大径部とネック部のうちの一方に周方向に互に離れてかつ他方に向けて突設する。これらセンタリング凸部の先端を前記他方に接触若しくは近接させて、口金と反射鏡及び電球のセンター合わせをしたことを特徴としている。
【発明の効果】
【０００９】
実施形態１のランプによれば、口金の中心軸線と反射鏡及び電球の中心軸線の不一致を抑制可能である、という効果を期待できる。
【００１０】
実施形態２のランプによれば、実施形態１において、更に、接着剤の注入量を定量化できるとともに、口金の大径部と反射鏡のネック部との接着箇所及び接着面積を規定できるので、口金と反射鏡との接着不良を抑制可能である、という効果を期待できる。
【００１１】
実施形態３のランプによれば、実施形態１又は２において、更に、反射鏡を下向きにした状態でランプが使用された状態で反射鏡が脱落しようとする場合でも、反射鏡に設けた係合溝の引掛け溝部が口金の係合凸部に引っ掛かっているので、反射鏡が脱落する恐れがない、という効果を期待できる。
【００１２】
実施形態４のランプによれば、実施形態１において、更に、反射鏡のセンタリング溝とこれに挿入された口金のセンタリング凸部によって、反射鏡がその中心軸線回りに回動することを抑制でき、しかも、センタリング溝に接着剤が入り込む場合には、口金と反射鏡との接着強度が向上されて、反射鏡に対する電球の支持強度を更に向上させることが可能である、という効果を期待できる。
【００１３】
実施形態５の照明器具によれば、実施形態１から４のうちのいずれか一項に記載したランプを備えるので、所定の配光特性及び中心光度のばらつきが抑制され、品質を向上することが可能である、という効果を期待できる。
【図面の簡単な説明】
【００１４】
【図１】実施例１に係る照明器具を示す斜視図である。
【図２】図１の照明器具が備えるランプを示す断面図である。
【図３】図２のランプの反射鏡と口金とを分離した状態で示す斜視図である。
【図４】図２のランプの反射鏡と口金との関係を、電球を省略して図２中Ｆ４−Ｆ４線に沿って示す概略的な断面図である。
【図５】実施例２に係るランプの反射鏡と口金とを分離した状態で示す概略的な斜視図である。
【図６】図５のランプの反射鏡と口金との関係を示す図４相当の断面図である。
【図７】実施例３に係るランプの反射鏡と口金とを分離した状態で示す概略的な斜視図である。
【図８】図７のランプの反射鏡と口金との関係を示す図４相当の断面図である。
【図９】実施例４に係るランプの反射鏡と口金との関係を示す図４相当の断面図である。
【図１０】実施例５に係るランプの反射鏡と口金とを分離した状態で示す斜視図である。
【図１１】図１０のランプの反射鏡と口金との関係を示す図４相当の断面図である。
【発明を実施するための形態】
【００１５】
実施形態１のランプは、一端が開口された大径部の他端に小径部が一体に設けられた口金ハウジングを有した口金と；凹面状の反射面を有した反射面部、及びこの反射面部に連続して設けられて前記大径部の内側に挿入されたネック部を備える反射鏡と；前記ネック部内に接着止めされて前記反射鏡に収容されるとともに前記口金に電気的に接続された電球と；前記大径部と前記ネック部との間に設けられてこれらを接着した接着剤と；前記大径部と前記ネック部のうちの一方に周方向に互に離れてかつ他方に向けて突設されるとともに前記他方に接触若しくは近接して、前記口金の大径部と前記反射鏡のネック部とのセンター合わせを担う少なくとも３個のセンタリング凸部を有するセンタリング手段と；を具備することを特徴としている。
【００１６】
この実施形態１で、ランプの発光源をなす電球には、その中心軸線上に発光部を有する白熱電球、ハロゲン電球、ＨＩＤランプ、又はＬＥＤ電球等を使用可能であるとともに、この電球の形状は、反射鏡形、直管形、ＢＴ管形、Ａ形、又はＧ形のいずれであっても差し支えない。この実施形態１で、接着剤には無機質系接着剤例えば粘度が比較的低いセメントを好適に使用することができる。これとともに、接着剤は、口金の大径部に反射鏡のネック部が挿入される前に、大径部の内周に予め塗布して設けても良く、或いは、大径部にネック部が挿入された状態でこれらの間に形成される隙間に注入して設けることも可能である。又、この実施形態１のランプは、例えばスポットライトの光源部として好適に適用できる他、各種照明器具の光源部に適用可能である。
【００１７】
この実施形態１で、センタリング手段は、少なくとも３個のセンタリング凸部のみで形成されていてもよく、或いは、これらセンタリング凸部を利用して更に口金に対する反射鏡の中心軸線回りの回転を規制することができるように、センタリング凸部と同数でかつこれらが挿入されるセンタリング溝を有して構成されていてもよい。更に、３個のセンタリング凸部は、大径部又はネック部の周方向に等間隔に設けることが好ましいが、不等間隔であっても差し支えない。
【００１８】
この実施形態１のランプは、センタリング手段が有した少なくとも３個のセンタリング凸部で、口金の大径部に対しこの内側に挿入された反射鏡のネック部をセンタリングすることが可能である。このため、センタリング手段を除いて大径部とネック部との間に比較的大きな隙間が確保されていても、口金と反射鏡を接着して組立てる際、前記隙間に設けられた未硬化の接着剤が固化するまでの間に、大径部に対しネック部が動くことをセンタリング手段により抑制できる。これより、口金の中心軸線と反射鏡及びこれに支持された電球の中心軸線とが一致された状態で、大径部とネック部との間の接着剤で口金に反射鏡を接着止めすることができる。したがって、所定の配光特性及び中心光度を確保することが可能である。
【００１９】
実施形態２のランプは、実施形態１において、複数の前記センタリング凸部が前記大径部及び前記ネック部の中心軸線と平行であり、これらセンタリング凸部の長手方向一端が前記大径部の前記一端開口の付近に達しているとともに、長手方向他端が前記口金の大径部と小径部と間の中継部に達しており、隣接した前記センタリング凸部間でかつ前記大径部の一端部に注入口が形成されていて、この注入口を互の間に設けて隣接した前記センタリング凸部間に前記接着剤が充填されていることを特徴としている。
【００２０】
この実施形態２で、センタリング凸部が大径部の一端開口の付近に達しているとは、センタリング凸部の一端が、大径部の開口された一端と同じ高さで互に面一に連続するように設けられた状態、又は、センタリング凸部の一端が、大径部の開口された一端の近傍でこの一端とは異なる高さとなるように設けられた状態を含んでいる。実施形態２で、大径部と小径部とを一体に接続した中継部は、その内周面が斜面を有して形成されていても、或いは大径部の内周面と小径部の内周面との間に形成された段差面を有する境界部で形成されていても差し支えない。更に、実施形態２で、注入口は、周方向に隣接されたセンタリング凸部間の全てに対して個々に設けられていてもよく、或いは、選択された一部のセンタリング凸部間のみに対して設けられてもよい。
【００２１】
実施形態２では、実施形態１において、更に、大径部に反射鏡のネック部を挿入するに伴って、隣接したセンタリング凸部と、大径部とネック部とで仕切られてかつ注入口が連通する領域を形成できるので、この領域に注入口を通して未硬化の接着剤を注入して、口金の大径部と反射鏡のネックを接着止めすることが可能である。この場合、接着剤を注入口から溢れるように注入することで、この接着剤が既述のように仕切られた領域にこれを略埋め尽くすように充填される。したがって、接着剤の注入量を定量化できるとともに、大径部とネック部との接着箇所及び接着面積も規定できるので、口金と反射鏡との接着不良を抑制可能である。
【００２２】
実施形態３のランプは、実施形態１又は２において、前記大径部の内周に係合凸部が突設され、この係合凸部が係合する係合溝が前記ネック部に設けられており、前記係合溝が、一端を前記ネック部の端面に開放して前記ネック部の中心軸線と平行でかつ前記係合凸部が通過可能な溝部と、この溝部の他端に折れ曲がるように連続されて前記係合凸部に引っ掛かる引掛け溝部を有して形成されていることを特徴としている。
【００２３】
この実施形態３では、実施形態１又は２において、更に、反射鏡のネック部に設けられた係合溝の引掛け溝部が、口金の大径部に設けられた係合凸部に引っ掛かった状態で、口金と反射鏡とが組立てられている。このため、反射鏡を下向きにした状態でランプが使用される場合、仮に、口金の大径部と反射鏡のネック部との接着不良などを原因として反射鏡が脱落しようとすることがあっても、前記引っ掛かりで反射鏡が口金に支持されるので、反射鏡が脱落する恐れがない。
【００２４】
実施形態４のランプは、実施形態１において、前記センタリング凸部が前記大径部の内周に突設されており、これらセンタリング凸部と同数のセンタリング溝が、前記センタリング凸部と同じ配置で、かつ、前記ネック部の端面に開放して前記ネック部に設けられており、これらセンタリング溝に前記センタリング凸部が挿入されていることを特徴としている。
【００２５】
この実施形態４で、センタリング凸部は、センタリング溝と同じ長さであってもよいが、センタリング溝より短い方が、センタリング溝に接着剤の一部が入り込むことが可能となり、この入り込んだ接着剤により、口金と反射鏡の接着強度を向上することが可能である点で好ましい。又、こうして接着強度を向上させるための他の溝をネック部に付加することは差し支えない。
【００２６】
この実施形態４では、実施形態１において、更に、センタリング溝とこれに挿入されたセンタリング凸部によって、口金の中心軸線と反射鏡の中心軸線とを一致させることが可能である他、製造時等において反射鏡がその中心軸線回りに回動することを抑制できる利点がある。更に、センタリング溝の一部に接着剤が入り込んでいる場合は、この入り込んだ接着剤で口金と反射鏡を更に接着可能であるので、これら口金と反射鏡との接着強度をより向上することが可能である。しかも、センタリング溝を通った接着剤が、反射鏡のネック部に支持された電球の外面に達する場合、この電球の反射鏡に対する支持強度も向上させることが可能である。
【００２７】
実施形態５の照明器具は、器具本体と；この器具本体に配設された請求項１から４のうちのいずれか一項に記載のランプと；を具備していることを特徴としている。
【００２８】
この実施形態５で、器具本体に配設されたランプは、請求項１から４のうちのいずれか一項に記載したランプと同じ作用を奏するので、所定の配光特性及び中心光度を確保することが可能なランプを備えたことによって、高品質な照明器具を提供することが可能である。
【実施例１】
【００２９】
以下、実施例１のランプ及びこれを備えた照明器具について、図１〜図４を参照して詳細に説明する。
【００３０】
図１中符号１は照明器具例えばスポットライトを示している。このスポットライト１は、基台２、支持ポール３、自在継手４、器具本体５、及びランプ１１を具備している。
【００３１】
基台２は例えば屋内の天井等に設置される。支持ポール３は基台２から下向きに突設されている。自在継手４は、支持ポール３の下端部と器具本体５の継手部５ａとを回動可能に連結している。器具本体５は、例えば円筒形状であり、その一端は開口されている。器具本体５の一端部にその開口に対向して図示しないランプソケットが内蔵されている。この器具本体５の他端側に図示しないランプ点灯装置が内蔵されている。
【００３２】
ランプ１１は器具本体５が有した前記ランプソケットに着脱可能に取付けられている。次に、ランプ１１について図２〜図４を参照して説明する。
【００３３】
ランプ１１は、口金１２と、センタリング手段例えば少なくとも３個のセンタリング凸部１７と、反射鏡２１と、接着剤２５と、光学ガラス２７と、電球３１を具備している。
【００３４】
口金１２は、口金ハウジング１３、口金シェル１４、及びアイレット部１５を備えている。
【００３５】
口金ハウジング１３は、ステータイトやコージライト等のセラミックスの成形品からなり、図２及び図３に示すように中空円筒状の大径部１３ａと、中空円筒状の小径部１３ｂ、これらを一体に連続した中継部１３ｃを有している。大径部１３ａの一端は開口されており、小径部１３ｂは大径部１３ａの他端に中継部１３ｃを介して設けられている。中継部１３ｃは、例えば大径部１３ａから小径部１３ｂに向かうに従い次第に縮径されている。そのため、この中継部１３ｃの内周面１３ｄ（図２参照）は円錐状の面で形成されている。小径部１３ｂの先端部は先細り状に縮径されている。
【００３６】
口金シェル１４は、金属製であって、小径部１３ｂの外周に取付けられている。この口金シェル１４付きの小径部１３ｂは、器具本体５の前記ランプソケットに着脱可能にねじ込まれる。尚、このねじ込みによって口金ハウジング１３の一部は器具本体５に挿入され支持される。金属製のアイレット部１５は、小径部１３ｂの先細りとなった先端に装着されている。
【００３７】
図３及び図４に示すように各センタリング凸部１７は、大径部１３ａの内周に一体に突設されていて、互に周方向に離れている。これらセンタリング凸部１７の突出寸法は同じである。実施例１のセンタリング凸部１７は、２個一組となっていて、３組のセンタリング凸部１７が大径部１３ａの周方向に等間隔で設けられている。そして、実施例１では６個のセンタリング凸部１７が大径部１３ａの周方向に不等間隔で設けられている。
【００３８】
各センタリング凸部１７はその幅が次第に狭くなるように先細り状に形成されている。これらセンタリング凸部１７は、大径部１３ａの中心軸線と平行であり、その長手方向一端は大径部１３ａの開口された一端の付近に達しており、かつ、センタリング凸部１７の長手方向他端は図２に示すように中継部１３ｃの内面に達して（接して）いる。
【００３９】
注入口１９は、大径部１３ａの開口された一端部に形成されていて、例えば半円形状の溝からなる。この注入口１９は、大径部１３ａの周方向に沿って隣接されて前記組をなしたセンタリング凸部１７間に夫々設けられている。
【００４０】
反射鏡２１は、硬質ガラス、耐熱性合成樹脂、又は金属等の成形品であって、図２及び図３に示すように反射面部２２と、ネック部２３を備えている。
【００４１】
反射面部２２は、回転放物面又は回転楕円面等の形状をなした凹面状の反射面２２ａ(図２参照)を有している。この反射面２２ａは光・熱を反射する反射膜（図示しない）でコーテングされている。ネック部２３は、反射面部２２の縮径された端部から円筒形状をなして反射面部２２から離れるように一体に突設されている。ネック部２３の先端は開口されている。
【００４２】
反射鏡２１は、そのネック部２３を大径部１３ａ内に挿入して接着剤２５で口金１２に接着されている。大径部１３ａに挿入されたネック部２３の先端（図２の状態では下端）は、中継部１３ｃの内周面に軽微に接触又は近接されている。これとともに、大径部１３ａに挿入されたネック部２３の外周は、図４に示すように各センタリング凸部１７の先端に接触若しくは近接している。それによって、ネック部２３と大径部１３ａとのセンター合わせが行われて、口金１２の中心軸線と反射鏡２１の中心軸線が一致されている。
【００４３】
尚、ネック部２３に向けて大径部１３ａから突出された各センタリング凸部１７の先端がネック部２３の外周に接触する場合、センター合わせの精度をより高める上で好ましい。又、後述する接着剤２５の漏れを抑制できる程度に各センタリング凸部１７の先端がネック部２３の外周に近接する場合、大径部１３ａ内にネック部２３を挿入する際、ネック部２３が各センタリング凸部１７に競ることが抑制されて、前記挿入がより容易となる点で好ましい。
【００４４】
接着剤２５は、液状ではなく、ある程度の粘度を有するセメント等からなる。この接着剤２５は、大径部１３ａの周方向に隣接したセンタリング凸部１７、例えば注入口１９の両側に位置されるように配設された前記各組をなす２本のセンタリング凸部１７と、大径部１３ａ及びネック部２３とで区画された領域に充填されていて、大径部１３ａとネック部２３とを接着している。したがって、この実施例１では、図４に示すように１２０度毎３箇所で接着が行われている。尚、前記領域は、既述のように注入口１９を間において配設された２本のセンタリング凸部１７に、ネック部２３の外周が軽微に接触又は近接するとともに、ネック部２３の先端（図２の状態では下端）が中継部１３ｃの内周面に軽微に接触又は近接することで、区画されている。又、接着剤２５による接着箇所は３箇所に制約されず、任意に設定可能である。
【００４５】
接着剤２５は、大径部１３ａにネック部２３が挿入された状態で注入口１９から前記両域に注入される。こうして注入された未硬化の接着剤２５が、注入口１９から溢れ出るようになった時点で、接着剤２５の注入は停止される。
【００４６】
光学ガラス２７は反射面部２２の大径端の開口を塞いで反射鏡２１に取付けられている。この光学ガラス２７は、レンズやプリズムの機能を有していても、いなくても良い。又、光学ガラス２７は必須ではなく省略することも可能である。
【００４７】
電球３１は例えばハロゲン電球からなる。図２に示すように電球３１は、ガラスバルブ３２と、一対の封着導体３３と、一対の内部リード線３４と、ガラスビード３５と、フィラメント３６と、一対の金属細線３７と、一対の外部リード線３８，３９と、封入ガスを備えている。
【００４８】
ガラスバルブ３２は一端部に封着部３２ａを有している。封着導体３３は封着部３２ａ内に気密封止されている。内部リード線３４は、封着部３２ａに埋設されて封着導体３３に後述のように接続されているとともにガラスバルブ３２内に延在されている。ガラスビード３５は一対の内部リード線３４の中間部を埋設固定している。フィラメント３６は、コイル状であって、ガラスバルブ３２内に延在された内部リード線３４の一端部に継線されて、これら内部リード線３４で支持されている。このフィラメント３６はガラスバルブ３２の中心軸線上に配設されている。金属細線３７は、内部リード線３４より細く、封着導体３３の一端に接続され、かつ、他端は内部リード線３４に接続されている。外部リード線３８は封着導体３３の他端に接続されてガラスバルブ３２外に導出されている。
【００４９】
電球３１は反射鏡２１の内部に収容されている。電球３１の封着部３２ａ側の端部は、ネック部２３の内側に挿入されて図示しない耐熱性接着剤によりネック部２３に固定されている。
【００５０】
一方の外部リード線３８は、口金１２の内部に配線されたヒューズ線４１及び外部導線４２を介して前記アイレット部１５に電気的に接続されている。他方のリード線３９は、口金１２を貫通して設けられた他の外部導線４３を介して口金シェル１４に電気的に接続されている。ヒューズ線４１は細線からなり、その径方向断面積は外部リード線３８及び外部導線４２の径方向断面積より小さい。それによって、過電流が流れた際に溶断することが可能になっている。
【００５１】
以上説明した反射鏡付きのランプ１１は、反射鏡２１のネック部２３が挿入されて接着止めされる口金１２に、ネック部２３の外周面に接触若しくは近接する３個のセンタリング凸部１７を周方向に互に離れて突設してあるから、ランプ製造時に、口金１２の大径部１３ａに対しこの内側に挿入された反射鏡２１のネック部２３を、センタリング凸部１７でセンタリングすることが可能である。
【００５２】
こうして大径部１２の大径部１３ａと反射鏡２１のネック部２３のセンターが合わせされた状態では、センタリング凸部１７が存在した部分を除いて、これらセンタリング凸部１７の突出寸法に応じた比較的大きい隙間が大径部１３ａとネック部２３との間に形成される。それにも拘らず、大径部１３ａとネック部２３との間に注入される未硬化の接着剤２５が固化するまでの間に、大径部１３ａに対しネック部２３が動くことをセンタリング凸部１７によって抑制できる。
【００５３】
これにより、口金１２の中心軸線と反射鏡２１及びこの内側に支持された電球３１の中心軸線とが一致された状態が維持されて、接着剤２５の固化により大径部１３ａとネック部２３とを接着止めできる。したがって、前記構成のランプ１１及びこれを備えたスポットライトは所定の配光特性及び中心光度を確保することが可能である。
【００５４】
更に、接着剤２５による口金１２と反射鏡２１との接着は、予め、口金１２の大径部１３ａの内周に接着剤２５を塗布しておくのではなく、以下の手順で行うことができる。つまり、大径部１３ａにネック部２３を挿入するに伴って、隣接したセンタリング凸部１７と、これらの間にわたる大径部１３ａとネック部２３の各部位とで仕切られた領域が形成されるので、この領域に連通している注入口１９を通して未硬化の接着剤２５を前記領域に注入することが可能である。
【００５５】
この場合、接着剤２５が注入口１９から溢れるように注入された時点で、その注入を停止することで、前記領域の大きさに略見合った量の接着剤を注入できる。これにより、接着剤２５の注入量が定量化されるとともに、大径部１３ａとネック部２３との接着箇所及び接着面積も規定されるので、口金１２と反射鏡２１との接着不良を抑制可能である。したがって、例えばランプ１１がその反射鏡２１を下向きにして点灯されるようにスポットライト１が使用された状態で、仮に、前記ヒューズ線４１が断線した場合にも、接着剤２５による接着が全うされているので、不用意にランプ１１が口金１２から脱落する恐れがない。
【実施例２】
【００５６】
図５及び図６は実施例２を示している。実施例２は以下説明する事項が実施例１とは相違しており、それ以外の構成は実施例１と同じである。このため、実施例１と同一ないしは同様の機能を奏する構成については、実施例１と同じ符号を付してその説明を省略するとともに、図５及び図６に図示されない構成については図２等を参照して説明する。
【００５７】
この実施例２で、３個のセンタリング凸部１７は、反射鏡２１が有したネック部２３の外周面に、その周方向に例えば等間隔毎に、かつ、口金１２と反射鏡２１が組み合わされた状態で大径部１３ａに向けて突出するように突設されている。これらセンタリング凸部１７は、反射鏡２１の中心軸線と平行であり、ネック部２３の全長にわたって延びている。これとともに、センタリング凸部１７の反射面部２２と反対側の端は、ネック部２３が口金１２の大径部１３ａに挿入されることにより、中継部１３ｃの内周面１３ｄ（図２参照）にネック部２３の先端とともに軽微に接触若しくは近接されて、接着剤２５を充填可能な領域を仕切っている。
【００５８】
更に、注入口１９は大径部１３ａの開口端部にセンタリング凸部１７と同数設けられている。これら注入口１９は、ネック部２３が口金１２の大径部１３ａに挿入された状態で、周方向に隣接された各センタリング凸部１７間に配設される。そして、隣接されたセンタリング凸部１７が仕切った領域のうちの少なくとも一つ、好ましくは全てに、接着剤２５が充填されて口金１２と反射鏡２１が接着されている。
【００５９】
実施例２のランプ１１は、以上説明した事項以外の構成は図示されない構成を含めて実施例１と同じである。したがって、この実施例２においても、実施例１で説明したのと同様な理由により、前記課題が解決されて、口金１２の中心軸線と反射鏡２１及びこの内側に支持された電球３１の中心軸線の不一致が抑制されるので、このランプ１１は所定の配光特性及び中心光度を確保することが可能である。
【００６０】
これとともに、大径部１３ａにネック部２３を挿入した後に、接着剤２５を充填可能に仕切られた領域に、これに連通している注入口１９を通して未硬化の接着剤２５を注入して、口金１２と反射鏡２１との接着できる。そのため、接着剤２５の注入量が定量化されるとともに、大径部１３ａとネック部２３との接着箇所及び接着面積も規定されるので、口金１２と反射鏡２１との接着不良を抑制可能である。
【実施例３】
【００６１】
図７及び図８は実施例３を示している。実施例３は以下説明する事項が実施例１とは相違しており、それ以外の構成は実施例１と同じである。このため、実施例１と同一ないしは同様の機能を奏する構成については、実施例１と同じ符号を付してその説明を省略するとともに、図７及び図８に図示されない構成については図２等を参照して説明する。
【００６２】
この実施例３で、センタリング手段は、口金１２の大径部１３ａの内周に周方向に例えば等間隔に設けられた３個以上例えば３個のセンタリング凸部１７と、これらセンタリング凸部１７と同数でかつ同じ配置で反射鏡２１のネック部２３に形成されたセンタリング溝１８とを有して形成されている。
【００６３】
各センタリング凸部１７は、センタリング溝１８の全長より短いとともに、例えば大径部１３ａの一端開口側に寄せて設けられていて、口金１２の中継部１３ｃの内周面１３ｄ(図２参照)には達していない。各センタリング溝１８は、ネック部２３の中心軸線と平行であるとともに、センタリング凸部１７より長く、かつ、その一端はネック部２３の端面に夫々開放されている。これらセンタリング溝１８の夫々にセンタリング凸部１７が挿入されている。センタリング溝１８とセンタリング凸部１７との嵌め合い隙間は狭いほど好ましい。
【００６４】
隣接されたセンタリング凸部１７が大径部１３ａ及びネック部２３の周方向に仕切った領域のうちの少なくとも一つ、好ましくは全てに、接着剤２５が充填されて口金１２と反射鏡２１が接着されている。なお、この実施例３では、注入口に相当する構成は省略されているが、注入口を大径部１３ａに設けてもよい。接着剤２５の一部は、センタリング凸部１７より長いセンタリング溝１８の一部に入り込んでいるとともに、このセンタリング溝１８に電球３１が近接して臨んでいる場合には、センタリング溝１８を通った接着剤を利用して電球３１を接着することも可能である。
【００６５】
ランプ１１(図２参照)を製造する際、接着剤２５は、ネック部２３を大径部１３ａに挿入する以前に、大径部１３ａの内周に塗布しておいてもよく、実施例１，２のようにネック部２３を大径部１３ａに挿入した後に、ネック部２３の外周面を大径部１３ａの内周面との間に充填してもよく、又、これらの場合、センタリング溝１８に予め未硬化の接着剤を塗布してからネック部２３を大径部１３ａに挿入することもできる。
【００６６】
この実施例３では、センタリング溝１８とセンタリング凸部１７とを位置合わせした状態で、ネック部２３を大径部１３ａの内側に挿入することにより、各センタリング凸部１７を各センタリング溝１８に夫々挿入させる。それにより、ネック部２３と大径部１３ａとのセンターが合わされて、口金１２と反射鏡２１とが組み合わされる。
【００６７】
こうした組み合わせ状態で、かつ、ネック部２３と大径部１３ａとの間に隙間に注入された未硬化の接着剤が固化する前に、ネック部２３が大径部１３ａの径方向に移動しようとした場合、移動方向下流側に位置するセンタリング凸部１７にこれに嵌っているセンタリング溝１８の縁が直ちに接するので、それ以上動くことがなく、センタリングされた状態が維持される。例えば、図８中上側のセンタリング凸部１７の突出方向にネック部２３が移動しようとした場合、図８中下側に位置された２個のセンタリング凸部１７が、前記上側のセンタリング凸部１７に対して斜めになっているので、これら斜めのセンタリング凸部１７がストッパとして機能し、これらに嵌っているセンタリング溝１８の縁が直ちに接することで、口金１２の大径部１３ａの径方向に対する反射鏡２１のネック部２３の移動が抑制されて、前記センタリング状態が維持される。
【００６８】
実施例３のランプ１１は、以上説明した事項以外の構成は図示されない構成を含めて実施例１と同じである。したがって、この実施例３においても、前記課題が解決されて、口金１２の中心軸線と反射鏡２１及びこの内側に支持された電球３１の中心軸線の不一致が抑制されるので、このランプ１１は所定の配光特性及び中心光度を確保することが可能である。
【００６９】
更に、実施例３のランプ１１は以下の利点がある。即ち、センタリング溝１８とこれに挿入されたセンタリング凸部１７によって、製造時等において反射鏡２１がその中心軸線回りに回動することを抑制できる。その上、センタリング凸部１７より長いセンタリング溝１８の一部に接着剤２５が入り込んでいて、この入り込んだ接着剤２５を介して口金１２と反射鏡２１を接着可能であるので、これらの接着強度を更に向上することが可能である。また、既述のようにセンタリング溝１８を通った一部の接着剤２５が、反射鏡２１のネック部２３に支持された電球３１の外面に達して接着する場合には、この電球３１の反射鏡２１に対する支持強度も向上させることが可能である。
【実施例４】
【００７０】
図９は実施例４を示している。実施例４は以下説明する事項が実施例３とは相違しており、それ以外の構成は実施例３と同じである。このため、実施例３と同一ないしは同様の機能を奏する構成については、実施例３と同じ符号を付してその説明を省略する。
【００７１】
この実施例４で、センタリング手段のセンタリング凸部１７は先細り状に形成されていて、その根元部の幅はセンタリング溝１８の幅より広く、先端部の幅はセンタリング溝１８の幅より狭い。センタリング凸部１７は、その両側面をセンタリング溝１８の縁に接触させた状態でセンタリング溝１８に挿入されている。この実施例４で、センタリング凸部１７の長さは、センタリング溝１８より短くても、或いは同じ長さであってもよい。
【００７２】
実施例４のランプ１１は、以上説明した事項以外の構成は図示されない構成を含めて実施例３と同じである。したがって、この実施例４においても、前記課題が解決されて、口金１２の中心軸線と反射鏡２１及びこの内側に支持された電球３１の中心軸線の不一致が抑制される。この場合、予め、センタリング凸部１７の両側面とセンタリング溝１８の縁が接しているので、実施例３の構成よりもセンタリングされた状態をより正確に維持することが可能である。したがって、実施例４のランプ１１は所定の配光特性及び中心光度を確保することが可能である。又、実施例３と同様に製造時等において反射鏡２１がその中心軸線回りに回動することも抑制できる。
【実施例５】
【００７３】
図１０及び図１１は実施例５を示している。実施例５は以下説明する事項が実施例１とは相違しており、それ以外の構成は実施例１と同じであるため、実施例１と同一ないしは同様の機能を奏する構成については、実施例１と同じ符号を付してその説明を省略するとともに、図１０及び図１１に図示されない構成については図２等を参照して説明する。尚、図１０は、説明の都合上、口金１２に対して反射鏡２１が適正な位置から中心軸線回りに１８０度回転させた状態で描いた。
【００７４】
この実施例５のランプ１１は引掛け手段を更に備えている。この引掛け手段は、係合凸部４５とこれに引掛った状態に係合される係合溝４７とからなる。
【００７５】
係合凸部４５は、口金１２が有した大径部１３ａの一端開口に寄せて、この大径部１３ａの内周に突設されている。しかも、この係合凸部４５は図１１に示すように接着剤２５から外れた位置に設けられている。
【００７６】
係合溝４７は反射鏡２１のネック部２３に設けられている。この係合溝４７は、溝部４７ａと、引掛け溝部４７ｂを有して形成されている。図１０に示すように溝部４７ａは、ネック部２３の中心軸線と平行であり、その一端はネック部２３の端面に開放されている。この溝部４７ａは係合凸部４５が通過可能な幅を有している。引掛け溝部４７ｂは、溝部４７ａの他端（図１０では上端）に折れ曲がるように連続して設けられている。
【００７７】
口金１２と反射鏡２１を組立てる際、溝部４７ａに係合凸部４５を位置合わせした状態で、大径部１３ａにネック部２３が挿入される。この挿入と同時に、係合凸部４５は、相対的に溝部４７ａに入り込んで図１０中上向きに通過するように移動する。そして、ネック部２３の挿入が終わった時点で、反射鏡２１が所定方向に回動される。これにより、係合凸部４５が、相対的に溝部４７ａから引掛け溝部４７ｂに入り込んで、この引掛け溝部４７ｂに引っ掛かる。
【００７８】
実施例５のランプ１１は、以上説明した事項以外の構成は図示されない構成を含めて実施例１と同じである。したがって、この実施例５においても、前記課題が解決されて、口金１２の中心軸線と反射鏡２１及びこの内側に支持された電球３１の中心軸線の不一致が抑制されるので、このランプ１１は所定の配光特性及び中心光度を得ることが可能である。
【００７９】
更に、実施例５のランプ１１は既述の引掛け手段を備えていて、口金１２の大径部１３ａに設けられた係合凸部４５が、反射鏡２１のネック部２３に設けられた係合溝４７の引掛け溝部４７ｂに引っ掛かった状態で、組立てられている。この構成により、反射鏡２１を下向きにした状態でランプ１１が使用される場合、仮に、口金１２の大径部１３ａと反射鏡２１のネック部２３との接着不良、及びヒューズ線４１の断線などを原因として反射鏡２１が脱落しようとすることがあっても、前記引っ掛かりで反射鏡２１が口金１２に支持されるので、反射鏡２１が不用意に脱落する恐れがない。
【符号の説明】
【００８０】
１…スポットライト（照明器具）、５…器具本体、１１…ランプ、１２…口金、１３…口金ハウジング、１３ａ…大径部、１３ｂ…小径部、１３ｃ…中継部、１３ｄ…中継部の内周面、１７…センタリング凸部（センタリング手段）、１８…センタリング溝（センタリング手段）、１９…注入口、２１…反射鏡、２２…反射面部、２２ａ…反射面、２３…ネック部、２５…接着剤、３１…電球、４５…係合凸部、４７…係合溝、４７ａ…溝部、４７ｂ…引掛け溝部
【図１】
2012174406.tif 000003
【図２】
2012174406.tif 000004
【図３】
2012174406.tif 000005
【図４】
2012174406.tif 000006
【図５】
2012174406.tif 000007
【図６】
2012174406.tif 000008
【図７】
2012174406.tif 000009
【図８】
2012174406.tif 000010
【図９】
2012174406.tif 000011
【図１０】
2012174406.tif 000012
【図１１】
2012174406.tif 000013